【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
コンピューティングデバイスへの複数のオブジェクトの手書き入力を認識する方法であって、前記コンピューティングデバイスは、プロセッサと、前記プロセッサの制御の下に前記入力を認識するための少なくとも１つのアプリケーションと、を備え、前記方法は、
前記アプリケーションを用いて、前記入力の複数の要素の少なくとも１つの幾何学的特徴を決定するステップと、
前記アプリケーションを用いて、前記決定された少なくとも１つの幾何学的特徴を、少なくとも１つのあらかじめ定められた幾何学的しきい値と比較して、正の結果または負の結果を決定するステップと、
前記比較するステップに基づいて、前記要素が属するオブジェクトの数を１つまたは複数として決めるステップと、
を含み、
前記決めるステップは、前記負の結果の決定を１つのオブジェクトに属する前記要素に関連付け、前記決めるステップは、正の結果の決定を複数のオブジェクトに属する前記要素に関連付け、
前記少なくとも１つの幾何学的特徴は、前記複数の要素のうちのペアの要素の間の１つまたは複数の距離を含み、
前記１つまたは複数の距離は、各ペアの要素の各要素の内容の１つまたは複数の因子の間であり、
前記１つまたは複数の因子は、各ペアの要素の要素に共通の因子、および、各要素を含む幾何学的境界のうちの少なくとも１つを含み、
前記比較は、各ペアの要素について第１の距離を第１のあらかじめ定められた距離しきい値と比較し、第２の距離を第２のあらかじめ定められた距離しきい値と比較することを含み、
各ペアの要素について、
前記第１の距離は前記要素の前記共通因子の間の距離であり、
前記第２の距離は前記要素の前記幾何学的境界の間の距離であり、
前記第１のあらかじめ定められた距離しきい値は、共通因子の距離しきい値であり、
前記第２のあらかじめ定められた距離しきい値は、幾何学的境界しきい値である、
方法。
【請求項２】
各ペアの要素の各要素は、１つまたは複数の手書きのストロークを表し、
前記共通因子は、前記１つまたは複数のストロークの重心であり、
前記少なくとも１つのあらかじめ定められた幾何学的しきい値は、重心距離しきい値であり、
前記比較は、ペアの要素について決定された前記重心距離が前記重心距離しきい値よりも大きい場合、正の結果をもたらし、前記ペアの要素の要素は異なるオブジェクトに属するものと見なされる、請求項１に記載の方法。
【請求項３】
前記少なくとも１つのあらかじめ定められた幾何学的しきい値は、幾何学的境界距離しきい値であり、
前記比較は、ペアの要素について決定された前記幾何学的境界距離が前記幾何学的境界距離しきい値よりも大きい場合、正の結果をもたらし、前記ペアの要素の要素は異なるオブジェクトに属するものと見なされる、請求項１に記載の方法。
【請求項４】
前記比較は、前記第１の距離および前記第２の距離が共に前記それぞれの第１のあらかじめ定められた距離しきい値および第２のあらかじめ定められた距離しきい値よりも大きい場合、ペアの要素について正の結果をもたらし、前記ペアの要素の要素は異なるオブジェクトに属するものと見なされる、請求項１に記載の方法。
【請求項５】
各ペアの要素の各要素は、１つまたは複数の手書きのストロークを表し、
前記共通因子は、前記１つまたは複数のストロークの重心である、請求項１に記載の方法。
【請求項６】
各ペアの要素の要素は幾何学的に隣接している、請求項１に記載の方法。
【請求項７】
前記アプリケーションを用いて、前記複数の要素のうちの要素の入力の位置的順序および時間的順序のうちの少なくとも１つを決定するステップをさらに含む、請求項１に記載の方法。
【請求項８】
前記少なくとも１つの幾何学的しきい値は、前記要素の入力の前記決定された時間的順序を考慮してあらかじめ定められる、請求項７に記載の方法。
【請求項９】
前記ペアの要素のうちの少なくとも１つのペアについて、
前記少なくとも１つの幾何学的特徴を決定する前記ステップは、
前記アプリケーションを用いて、前記少なくとも１つのペアの１つの要素との第１の位置的順序関係を有する第１の要素、および、前記少なくとも１つのペアのもう１つの要素との第２の位置的順序関係を有する第２の要素を各々含むペアの要素の間の幾何学的境界距離を決定すること、および
前記アプリケーションを用いて、前記決定された幾何学的境界距離の最小距離を決定することを含み、
前記少なくとも１つのあらかじめ定められた幾何学的しきい値は、幾何学的境界距離しきい値を含み、
前記比較は、前記決定された最小幾何学的境界距離を前記幾何学的境界距離しきい値と比較することを含み、
前記比較は、前記決定された最小幾何学的境界距離が前記幾何学的境界距離しきい値よりも大きい場合、正の結果をもたらし、前記少なくとも１つのペアの要素は異なるオブジェクトに属するものと見なされる、請求項７に記載の方法。
【請求項１０】
前記位置的順序は方向的であり、第１の方向的関係および第２の方向的関係はそれぞれ、前記少なくとも１つのペアの前記要素からの第１の方向および第２の方向である、請求項９に記載の方法。
【請求項１１】
第１の要素および第２の要素の前記ペアは、前記第２の要素の幾何学的領域内に第１の要素を含む、請求項９に記載の方法。
【請求項１２】
各ペアの要素の各要素は、１つまたは複数の手書きのストロークを表し、
前記幾何学的領域は、前記１つまたは複数の手書きのストロークの特性に基づく、
請求項１１に記載の方法。
【請求項１３】
具現化されたコンピュータ可読プログラムコードを有する非一時的コンピュータ使用可能媒体であって、前記コンピュータ可読プログラムコードは、コンピューティングデバイスに複数のオブジェクトの手書き入力を認識する方法を実装するために実行されるよう適合され、前記コンピューティングデバイスは、プロセッサと、前記プロセッサの制御の下に前記入力を認識するための少なくとも１つのアプリケーションとを備え、前記方法は、
前記アプリケーションを用いて、前記入力の複数の要素の少なくとも１つの幾何学的特徴を決定するステップと、
前記アプリケーションを用いて、前記決定された少なくとも１つの幾何学的特徴を、少なくとも１つのあらかじめ定められた幾何学的しきい値と比較して、正の結果または負の結果を決定するステップと、
前記比較するステップに基づいて、前記要素が属するオブジェクトの数を１つまたは複数として決めるステップと、
を含み、
前記決めるステップは、前記負の結果の決定を１つのオブジェクトに属する前記要素に関連付け、前記決めるステップは、正の結果の決定を複数のオブジェクトに属する前記要素に関連付け、
前記方法は、前記アプリケーションを用いて、前記複数の要素のうちの要素の入力の位置的順序および時間的順序のうちの少なくとも１つを決定するステップをさらに備え、
前記少なくとも１つの幾何学的特徴は、前記複数の要素のうちのペアの要素の間の１つまたは複数の距離を含み、
前記ペアの要素のうちの少なくとも１つのペアについて、
前記少なくとも１つの幾何学的特徴を決定する前記ステップは、
前記アプリケーションを用いて、前記少なくとも１つのペアの１つの要素との第１の位置的順序関係を有する第１の要素、および、前記少なくとも１つのペアのもう１つの要素との第２の位置的順序関係を有する第２の要素を各々含むペアの要素の間の幾何学的境界距離を決定すること、および
前記アプリケーションを用いて、前記決定された幾何学的境界距離の最小距離を決定することを含み、
前記少なくとも１つのあらかじめ定められた幾何学的しきい値は、幾何学的境界距離しきい値を含み、
前記比較は、前記決定された最小幾何学的境界距離を前記幾何学的境界距離しきい値と比較することを含み、
前記比較は、前記決定された最小幾何学的境界距離が前記幾何学的境界距離しきい値よりも大きい場合、正の結果をもたらし、前記少なくとも１つのペアの要素は異なるオブジェクトに属するものと見なされる、
非一時的コンピュータ可読媒体。